(57)【要約】【課題】  下水道管渠等の人孔内での作業者の昇降を補助するために使用される効果的な補助作業装置を得ること、また本装置を使用して人孔内で安全な作業をなすこと。【解決手段】    本作業装置は、人孔の開口に臨んで配され、少なくとも３本の脚部を有する櫓部１と、櫓部１の頂部に配される滑車２と、脚部の一つに固定設置されるウインチ３と、該ウインチ３に巻取り巻戻され、滑車２を介し先端に連結部を有するワイヤー４と、該ワイヤーの先端に装着されるハーネス５と、からなる。  使用において、作業者はハーネス５を着衣し、人孔Ｑ内の足掛けＴを介して降下し、地上の作業者はワイヤー４の張力を一定に保ちつつウインチ３を操作する。【選択図】  図１
2008069572.tif 000002
【特許請求の範囲】
【請求項１】
人孔の開口に臨んで配され、少なくとも３本の脚部を有する櫓部と、
該櫓部の頂部においてかつ櫓部の空間に臨んで配される滑車部と、
前記脚部の一つに固定設置されるウインチ本体を有するウインチ部と、
該ウインチ部のウインチ本体に巻き取られ前記滑車部に巻き掛けられるとともに先端に連結部を有するワイヤーと、
該ワイヤーの先端に装着され、前記ワイヤーの連結部に連結される連結部とハーネス本体とからなるハーネス部と、
からなることを特徴とする下水道管渠等における人孔用の作業装置。
【請求項２】
ウインチ部のウインチ本体は手動式である請求項１に記載の下水道管渠等における人孔用の作業装置。
【請求項３】
。
ウインチ部のウインチ本体は電動式である請求項１に記載の下水道管渠等における人孔用の作業装置。
【請求項４】
ウインチ部はワイヤーに過大かつ急激な張力が作用したとき、ウインチの駆動が制動される制動機構を有してなる請求項１ないし３のいずれかに記載の下水道管渠等における人孔用の作業装置。
【請求項５】
ハーネス部は、首部、袖口部、前開きのベスト状の着衣にハーネス本体が組み込まれてなる。
【請求項６】
少なくとも３本の脚部を有する櫓部と、該櫓部の頂部においてかつ櫓部の空間に臨んで配される滑車部と、前記脚部の一つに固定設置されるウインチ本体を有するウインチ部と、該ウインチ部のウインチ本体に巻き取られ前記滑車部に巻き掛けられるとともに先端に連結部を有するワイヤーと、該ワイヤーの先端に装着され、前記ワイヤーの連結部に連結される連結部とハーネス本体とからなるハーネス部と、からなる作業装置を使用してなされる方法であって、
前記櫓部を人孔の開口に臨んで配し、
前記ハーネス部を着衣して人孔内に降下・上昇する際に、
前記ワイヤーに一定の張力を保持しつつ前記ウインチ部の操作により巻降ろし・巻上げをなす、
ことを特徴とする下水道管渠等における人孔内での作業方法。
【請求項７】
ワイヤーに過大かつ急激な張力が作用したとき、ウインチの駆動に制動が作用する請求項６に記載の下水道管渠等における人孔内での作業方法。
【請求項８】
少なくとも３本の脚部を有する櫓部と、該櫓部の頂部においてかつ櫓部の空間に臨んで配される滑車部と、前記脚部の一つに固定設置されるウインチ本体を有するウインチ部と、該ウインチ部のウインチ本体に巻き取られ前記滑車部に巻き掛けられるとともに先端に連結部を有するワイヤーと、該ワイヤーの先端に装着され、前記ワイヤーの連結部に連結される連結部とハーネス本体とからなるハーネス部と、からなる装置を使用してなされる方法であって、
前記櫓部を人孔の開口に臨んで配し、
前記ハーネス部を着衣した状態で、前記ワイヤーを介して前記ウインチ部の操作により人孔の上部に引き上げる、
ことを特徴とする下水道管渠等における人孔内での引上げ方法。
【発明の詳細な説明】
【技術分野】
【０００１】
この発明は、下水道管渠、通信管路等の作業者の立ち入れる管路に連通する人孔用の作業装置並びに該装置を使用する作業方法及び引上げ方法に関し、更に詳しくは、人孔内の昇降を補助するために使用される作業装置並びに該装置を使用する作業方法及び引上げ方法に関する。
本発明は特には、下水道管渠の人孔を対象とするものであるが、当該分野に特に限定されるものではなく、他の同等の対象物、例えば大型容器、建物内での開口を介しての人孔からの容器・地下施設への立ち入り作業も含まれるものである。
【背景技術】
【０００２】
下水道管渠等における人孔用の安全作業として、一般に、作業者は安全ベルトを腰部に装着するとともに、一端が該安全ベルトに固定されている安全ロープ（命綱ともいう。）の他端を、人孔内に多段に設けられた足掛けにフックを介して仮固定をなし、安全を確認しつつ作業を行っている。
しかし、このような安全ベルトによる方式によれば、作業の昇降につれ、その都度フックを足掛けに懸け替える必要があり、取扱いに不便なものであり、煩雑であり、普及しているとは言い難い。
また、作業者が足掛けを踏み外した際には、急激な落下ともなり、この従来方式によっては大きな衝撃力を受け、十分な安全性を確保できないでいる。
更には、作業者が何らかの事故により作業不能となり、人孔内より救出する必要がある場合、単に前記安全ベルトの安全ロープを人力のみによる引上げによっては多大の困難が生じる。
【発明の開示】
【発明が解決しようとする課題】
【０００３】
本発明は上記実情に鑑みてなされたものであり、人孔内での作業につき、作業者の昇降の安全が確保でき、かつ、人孔内及び人孔底部の被救助者の引上げも容易にできる新規な下水道管渠等における人孔用の作業装置を提供することを目的とする。
本発明は更に、当該作業装置を使用してなされる人孔内の作業方法及び人孔からの引上げ方法を得ることも他の目的とする。
本発明はこのため、旧来の安全ベルトによりかつ人力に依存する手段を抜本的に改変を加え、安全ベルトに替えハーネスによる包持手段を採り入れるとともに、簡単な機械要素を組み合わせ、機械力の導入をもって上記目的を達成しようとするものである。
【課題を解決するための手段】
【０００４】
本発明の下水道管渠等における人孔用の作業装置並びに該装置を使用する作業方法及び引上げ方法は、具体的には以下の構成を採る。
本発明の第１は下水道管渠等における人孔用の作業装置であって、請求項１に記載のとおり、
人孔の開口に臨んで配され、少なくとも３本の脚部を有する櫓部と、
該櫓部の頂部においてかつ櫓部の空間に臨んで配される滑車部と、
前記脚部の一つに固定設置されるウインチ本体を有するウインチ部と、
該ウインチ部のウインチ本体に巻き取られ前記滑車部に巻き掛けられるとともに先端に連結部を有するワイヤーと、
該ワイヤーの先端に装着され、前記ワイヤーの連結部に連結される連結部とハーネス本体とからなるハーネス部と、
からなることを特徴とする。
上記構成において、
1)櫓部の脚部は伸縮可能で高さ調整ができること、
2)櫓部の脚部の基部は傾斜調整ができること、
3)ウインチ部のウインチ本体は手動式であること、
4)ウインチ部のウインチ本体は電動式であること、
4)ウインチ部はワイヤーに過大かつ急激な張力が作用したとき、ウインチの駆動が制動される制動機構を有してなること、
4)ハーネス部は、首部、袖口部、前開きのベスト状の着衣にハーネス本体が組み込まれてなること、
は適宜採りうる選択的事項である。
【０００５】
（作用）
本発明の下水道管渠等における人孔用の作業装置の使用において、ハーネス部以外の本装置を所定の状態で人孔部に設置する。設置において、櫓部１、滑車部２及びウインチ部３が分離可能であるとき、櫓部１へ滑車部２及びウインチ部３を適宜組み付ける。これらは当初より一体的に組み付けられていてもよい。櫓部１を人孔の開口に臨んで所定状態（ウインチ部３の位置、滑車部２の中心性）を保持して、かつ安定的に立設する。ウインチ部３から引き出されたワイヤー４は滑車部を介して櫓部１の内部空間の適宜位置に保持される。
一方、作業者はハーネス部のハーネス本体を着衣する。次いで、ハーネス部とワイヤーの先端とを接続し、しかる後人孔内へ入孔し、人孔内の足掛けを介して降下する。地上の作業者が人孔内の作業者の降下に伴う張力を保持しつつウインチを駆動する。
【０００６】
本発明の第２は、上記第１発明の下水道管渠等における人孔用の作業装置を使用してなされる人孔内での作業方法であって、請求項６に記載のとおり、
少なくとも３本の脚部を有する櫓部と、該櫓部の頂部においてかつ櫓部の空間に臨んで配される滑車部と、前記脚部の一つに固定設置されるウインチ本体を有するウインチ部と、該ウインチ部のウインチ本体に巻き取られ前記滑車部に巻き掛けられるとともに先端に連結部を有するワイヤーと、該ワイヤーの先端に装着され、前記ワイヤーの連結部に連結される連結部とハーネス本体とからなるハーネス部とからなる作業装置を使用してなされる方法であって、
前記櫓部を人孔の開口に臨んで配し、
前記ハーネス部を着衣して人孔内に降下・上昇する際に、前記ワイヤーに一定の張力を保持しつつ前記ウインチ部の操作により巻降ろし・巻上げをなす、
ことを特徴とする。
上記方法において、ワイヤーに過大かつ急激な張力が作用したとき、ウインチの駆動に制動が作用することは、適宜採用される選択的事項である。
【０００７】
本発明の第３は、同じく上記第１発明の下水道管渠等における人孔用の作業装置を使用してなされる人孔内での引上げ方法であって、請求項８に記載のとおり、
少なくとも３本の脚部を有する櫓部と、該櫓部の頂部においてかつ櫓部の空間に臨んで配される滑車部と、前記脚部の一つに固定設置されるウインチ本体を有するウインチ部と、該ウインチ部のウインチ本体に巻き取られ前記滑車部に巻き掛けられるとともに先端に連結部を有するワイヤーと、該ワイヤーの先端に装着され、前記ワイヤーの連結部に連結される連結部とハーネス本体とからなるハーネス部とからなる装置を使用してなされる方法であって、
前記櫓部を人孔の開口に臨んで配し、
前記ハーネス部を着衣した状態で、前記ワイヤーを介して前記ウインチ部の操作により人孔の上部に引き上げる、
ことを特徴とする。
【発明の効果】
【０００８】
本発明の下水道管渠等における人孔用の作業装置によれば、人孔内の作業者の昇降の安全が確保できる。また、人孔内及び人孔底部の被救助者の引上げも容易にできる。更に、本人孔用の作業装置は軽便に設置できる。
【発明を実施するための最良の形態】
【０００９】
本発明の下水道管渠等における人孔用の作業装置の実施の形態を図面に基づいて説明する。
図１はこの下水道管渠における人孔用の作業装置（以下、単に「作業装置」と称す。）Ｓの全体構成を示す。
図２〜図１１はその各部の構成を示す。
図１において、本作業装置Ｓ以外、Ｐは下水道管渠、Ｑは地上部の開口を介して下水道管渠Ｐに連通する人孔を示す。人孔Ｑ内には足掛けＴが多段に配されている。その他、Ｒは路盤、Ｅは地盤である。なお、下水道管渠Ｐ内の水流があり、矢印方向に流下する。
以下の説明において、本作業装置Ｓにつき、人孔Ｑの軸線方向側を内側とし、反対方向を外側とする。上下方向は通常の設置状態を基準として決められる。
【００１０】
図１に示すとおり、本人孔用の作業装置Ｓは、人孔Ｑの開口Ｏに臨んで地上に配される櫓部１と、該櫓部１の頂部に配される滑車部２と、前記櫓部１の脚部に固定設置されるウインチ部３と、該ウインチ３に巻き取られ前記滑車部２に巻き掛けられる人孔Ｑ内に延設されるワイヤー４と、該ワイヤー４の先端に装着されるハーネス部５とを含む。
人孔Ｑ内で作業する作業者はハーネス部５を着衣し、他の作業者（監視員）は地上でウインチ部３を操作する。
【００１１】
以下、各部の構成につき詳述する。
櫓部１（図１〜図３参照）
本櫓部１は三脚状をなし、頂部の頂板１０と該頂板１０より下方かつ放射状に三方向に延設される脚部１１とからなる。しかして、本櫓部１はいわゆる「三脚」をなす。
（頂板１０）
詳しくは、頂板１０は中央の円板部１０ａ、該円板部１０ａの３方向に放射状に剛結状に張設される腕部１０ｂ、及び該腕部１０ｂの下面より下方に延設される三脚把持筒１０ｃからなる。腕部１０ｂは円板部１０ａに対して剛結されているが、ピン結合であってもよい。円板部１０ａには後記する滑車部２の取付け用の取付け孔１３が貫通状に穿設され、該円板部１０ａの上面は平坦面となっている。腕部１０ｂは円板部１０ａより３方向に等間隔を保って張設される。また、三脚把持筒１０ｃには三脚部１１の上部を受け入れる円孔１４が形成され、この円孔１４に挿入された三脚体１１を固定把持する固定用のねじ（図示せず）を備える。
【００１２】
（脚部１１）
脚部１１は３本（１１ａ，１１ｂ，１１ｃ）よりなり、その各々は本体が鋼製の円筒状いわゆるパイプをなし、大きな剛性を有する。該脚部１１はそれぞれ上下より１本ものをなすことを基本とするが、２本以上のパイプを適宜継手を介して組み立てることを妨げるものではない。
該脚部１１には適宜補剛性を高める鋼線又は鋼棒よりなる補剛材１５が囲繞される。該補剛材１５は頂板１０の円板部１０ａとがピン結合される場合には必須となる。
該脚部１１の下部には所定の広がり面を有する基台１６を有し、該基台１６を介して基盤上に設置される。該基台１６は脚部１１の下部を収容する円孔１７を有し、また、下面には基盤とのすべりを防止する歯部１８が形成される。該基台１６の円孔１７から脚部１１の抜け出しを阻止する固定用のねじ（図示せず）を設けることも適宜なしうる設計的配慮である。なお、該基台１６より上方に向けて円筒部を形成し、該円筒部内の円孔に脚部１１の下端を収容する態様を採ることもできる。この場合、該円筒部への固定用のねじを配することは容易である。
しかして、脚部１１は上端部を頂板１０の三脚把持筒１０ｃに嵌合され、他端部基台１６の円孔１７内に嵌合され、上下端を固定把持される。
本実施形態において、脚部１１は３本（１１ａ，１１ｂ，１１ｃ）をなすが、上記したとおり、頂板１０の腕部１０ｂの数に応じて更に増加することは勿論である。
【００１３】
図４は、脚部１１の下部に付加される高さ調整機構の一例を示す。
脚部１１の下部において、パイプが２分され、該２つのパイプの内面にねじ１１ｄが螺設される。この２つのパイプ間にねじ棒１９が介装され、該ねじ棒１９を回動することにより脚部１１の長さを微調整する。
また、下部パイプ１１Ａは基台１６に剛接された案内筒２０に挿入保持され、この案内筒２０にボルト挿通用のねじ孔２０ａが開設される。下部パイプ１１Ａにはねじ孔２０ａに対応して所定間隔でボルト嵌合孔１１ｅが凹設される。ねじ孔２０ａにはねじ２１が螺合保持される。案内筒２０内の下部パイプ１１Ａを適宜に移動させて対応するねじ孔２０ａとボルト嵌合孔１１ｅとを合致させ、ねじ２１の先端をボルト嵌合孔１１ｅに嵌合させて下部パイプ１１Ａを所定高さに保持する。
【００１４】
滑車部２（図１〜図３、図５参照）
滑車部２は、滑車２３を主体とし、櫓部１の頂部において該櫓部１の頂板１０に吊設され、ワイヤー４の上下移動を案内し、かつワイヤー４に掛かる荷重を中継する。更には回転機構（吊下げ構造に内蔵される。）も備えることにより水平回転も許容する。
滑車２３は以下の吊下げ構造をもって頂板１０より吊り下げられて設置される。
すなわち、吊下げロッド２４は、頂板１０の円板部１０ａに開設された取付け孔１３及び円板部１０ａ上に載置されたすべり板２５の中心孔（取付け孔１３に対応する。）内に挿通され、その上端のねじ部２４ａに止めナット２６が螺合される。ねじ部２４の下端は滑車保持枠２７に剛結され、滑車２３は該滑車保持枠２６の回転軸２８に軸支される。これにより、滑車２３はその回転によりワイヤー４の移動を案内し、かつワイヤー４に掛かる荷重を支持し、更には吊下げロッド２４のすべり板２５と止めナット２６とのすべりにより水平回転を許容する。この場合、吊下げロッド２４と円板部１０ａの取付け孔１３及びすべり板２５の中心孔とは遊嵌状態となる。
なお、吊下げロッド２４の下端と滑車保持枠２７とを回転可能に保持する場合には、上述したすべり板２５は省略できる。
【００１５】
図４は滑車部２の別な態様を示す。
この吊下げロッド３０は、上端に止め板３０ａが剛結され、下端にはねじ部３０ｂを有し、頂板１０の円板部１０ａに開設された取付け孔１３に上方より挿通保持される。鉄輪３１は上部にねじ筒３１ａを有し、下部に鉄輪部３１ｂを有し、該鉄輪３１のねじ筒３１ａを吊下げロッド３０のねじ部３０ｂに螺合する。一方、滑車２３にはその保持枠２７に取付け孔３２が開設されており、前記した鉄輪３１の鉄輪部３１ｂとこの取付け孔３２との間にシャックル３３を介して接合するものである。
【００１６】
ウインチ部３（図１、図２、図６参照）
ウインチ部３は、ウインチ本体３５を主体とし、櫓部１の脚部１１の内の１（本実施形態では１１ａ）に強固に固定される。すなわち、ウインチ部３は、ウインチ本体３５と該ウインチ本体３５を固定するとともに該ウインチ本体３５を脚部１１ａに固定する架台部３６とからなる。
架台部３６については、架台部本体３６ａは所定の厚さと広がりをもって剛性を有する平板状をなし、その内方面にウインチ本体３５が適宜の固定手段をもって固定され、架台部本体３６ａの外方面には脚部１１の曲面に対応する凹溝を有する。架台部本体３６ａはその外方面の凹溝を脚部１１の曲面に当接され、上下に適宜間隔をもって配される固定具３６ｂ（本実施形態ではＵボルト及びナット）により固定される。架台部本体３６ａの取付けは場合によっては溶接によることもできる。
【００１７】
（ウインチ本体３５）（図６参照）
ウインチ本体３５は、本実施形態ではいわゆる手動式を採り、そのハンドル３５ａをもってウインチの胴部３５ｂを回転させ、該胴部３５ｂにワイヤー４を巻き付け、巻き戻す。
当該ウインチ本体３５は、所定の条件を満たすものであれば、公知かつ市販のものが使用されて十分である。すなわち、このウインチ本体３５は、その巻取り・巻戻しにおいて随時ラチェット機構が作動する。また、巻戻しにおいても一定張力での低速操作が可能である。そして、ラチェットが外れ、急激な巻戻し力を受けた際、あるいはワイヤー４にに一定以上の引張り力が急激に作用した際には、制動作用が確実に作動するものである。リトラクターモータ（自動車の安全ベルトに使用されるようなモータ）の使用はこの作用を高め、効果的である。このウインチ本体３５の想定荷重は２００ｋｇとされる。
【００１８】
ワイヤー４  （図１、図２参照）
ワイヤー４は、耐荷重性に優れた鋼索が使用され、一端はウインチ本体３５に装着され、滑車部２の滑車２３を介し、他端はハーネス部５に接続される連結部３８を有する。なお、該ワイヤー４の鋼索には適宜軟質体が被覆されることが好ましい。
該ワイヤー４の連結部３８はそのままハーネス部５の連結部に係合するフックが使用されてもよいが、本実施形態では円環体が使用され、該円環体の丸輪３８ａにシャックル３９（符号のみ、図示せず）が装着される。
【００１９】
ハーネス部５（図１、図７、図８参照）
ハーネス部５はハーネス本体４１と連結部４２とからなる。
作業者は、このハーネス部５のハーネス本体４１を着衣し、上半身を抱持し、その連結部４２をワイヤー４に連結し、ウインチ部３からの引張り力を受けるものである。
以下、その構成につき詳述する。
ハーネス本体４１はいわゆるベスト（もしくはチョッキ）態様をなし、ベストの着衣状をなすとともに、該ベストにハーネス構成体が組み込まれてなる。すなわち、ハーネス構成体は、ベストの胴回りに上下に相平行して固定される横ベルト４４と、該横ベルト４４に交差して肩部を介して回り込み、前部及び背部に固定される左右の縦ベルト４５と、ベストの上部において縦ベルト４５に固定され、かつ前部から背部にかけてたすき掛けに交差して配される支持ベルト４６とからなる。
横ベルト４４は、前部においてベストに対応して離脱可能なバックル４８、
更には胴部への締込み調整を図る調整環４９が付加される。支持ベルト４６は、ベストの背部における交差部で固定され、もしくは固定されず、この交差部に連結部４２が取り付けられる。ハーネス構成体を構成する各ベルト４４，４５，４６は強度の大きな布地からなる。
ベストは適宜の布地（防水加工、あるいはメッシュ地が好適なものとして推奨される。）よりなり、図示されるとおり前合わせてなり、首部５１、袖口部５２を有し、かつは大小のポケット５３（大ポケット５３ａ、小ポケット５３ｂ）が付加される。
連結部４２は、ハーネス本体４１の背部において、２本の支持ベルト４６の交差部で円環状の連結環５５と結合される。該連結部４２にはまた、作業者の後頭部を支持する広がりのある支持板５６が併設される。
上記において、調整環４９、ポケット５３、支持板５６は本質的事項ではなく、適宜省略される。また、ベストは前合わせ態様に限定されるものではなく、丸胴の一体ものであってもよい。
（ハーネス部５の着衣）
作業者は、このハーネス部５のハーネス本体４１を着衣し、上半身を抱持し、その連結部４２をワイヤー４に連結し、ウインチ部３からの引張り力を受けるものである。
（ワイヤー４との連結）
前記したとおり、ワイヤー４の連結部３８との間で、連結部３８の丸輪３８ａと連結部４２の連結環５５との間にシャックル３９を介して接続する。
【００２０】
（本実施形態の作用）
以上の構成よりなる本作業装置Ｓは以下のようにして使用され、施工工事がなされる。
図１はその施工工事の概要を示し、本作業装置Ｓは人孔Ｑの開口Ｏに臨んで配され、作業者はこの作業装置Ｓを補助として人孔Ｑ内に降下し、また人孔Ｑ内から地上に出るものである。
【００２１】
以下、施工手順に基づいて説明する。
設置操作
(1) 実施にあたり、本作業装置Ｓの櫓部１及び滑車部２は、予め一体的に組み立てられる。また、ウインチ部３とワイヤー４、ハーネス部５は分離されている。なお、ウインチ部３とワイヤー４とが櫓部１に予め組み付けられている場合には、更に簡単な作業となる。
すなわち、櫓部１はその脚部１１を１本もしくは多段に継ぎ足され剛性を保持し、また、滑車部２は吊下げロッド２４，３０を介して滑車２２は櫓部１の頂部に固設されてなる。
しかして、この櫓部１を人孔Ｑの開口Ｏに臨んで所定状態に配する。すなわち、櫓部１は水平を保って路盤Ｒ上に安定的に立設され、滑車部２は人孔Ｑの開口Ｏの直上に位置するようにする。
【００２２】
(2) 次いで、櫓部１の脚部１１の一つ（例えば１１ａ）に、ウインチ部３をその取付け用の架台部３６を介して、その固定具３６ｂを強固に締め付けて固定する。
同時に、ウインチ部３のウインチ本体３５から繰り出されているワイヤー４を滑車部２の滑車２２に巻き懸けて、該ワイヤー４の先端を櫓部１内の適当位置に保持する。
地上の作業者（監視者）は、ワイヤー４がウインチ部３のウインチ本体３５に確実に巻き込まれていること、かつラチェット機構、制動機構が確実に作動することを確認する。
【００２３】
作業者の降下操作
(3) 人孔Ｑ内に入る作業者はハーネス部５のハーネス本体４１を着衣し、その背部の連結部４２をワイヤー４の連結部３８に連結する。あるいは、ワイヤー４の連結部３８にハーネス部５の背部の連結部４２を連結し、この状態でのハーネス本体４１を着衣する。
すなわち、ハーネス本体４１は前開きでベスト態様となっているので、着衣動作は迅速になされ、かつバックル４８等で締め付けて、ベスト態様のハーネス本体４１は作業者の上半身を抱き込み圧迫感を与えない。
また、ワイヤー４とハーネス部５との連結操作において、ワイヤー４の連結部３８の丸輪３８ａとハーネス部５の連結部４２の丸輪  との間にシャックル３９を介してなされる。
【００２４】
(4) 人孔Ｑ内に入る作業者は、人孔Ｑの開口Ｏから人孔Ｑ内へその足掛けＴを介して降下する。一方、地上の他の作業者はウインチ部３のハンドル３５ａの回動操作によりウインチ本体３５を駆動して、作業者の人孔Ｑ内への降下に応じて一定の張力を保持しつつワイヤー４を繰り出してゆく。ウインチ部３の繰り出しによるワイヤー４の降下を作業者自身の降下よりも先行させてはならない。ワイヤー４に弛みは生じない。
【００２５】
(5) 今、作業者が足掛けＴを踏み外した際には、作業者の荷重は急速性を伴い、ハーネス部５からその連結部４２、３８を介してワイヤー４をもってウインチ部３に伝達されるが、ウインチ本体３５ではその急速荷重を検知して直ちにワイヤー４の移動を停止する。
これにより、作業者は殆どバランスを失うことなく、落下状態から脱し、正常状態に復帰できる。
【００２６】
作業者の上昇操作
(6) 作業者が人孔Ｑ内を上昇する場合（作業者は本ハーネス部５を着衣している。）、上記工程(4) の逆の手順となる。このときも、ワイヤー４に一定の張力を保持させる。
作業者が本ハーネス部５を着衣していない場合には、人孔Ｑ内の底部でハーネス部５を前記(3) に準じて着衣した上、上記の過程をなすことは勿論である。
【００２７】
被救助者の引上げ
(7) 人孔Ｑ内に負傷者等の自力による上昇が困難な場合、地上部でワイヤー４の先端にハーネス部５の接続をなした上で、該ハーネス部５を人孔Ｑの底部に降ろし、該ハーネス部５を負傷者に着衣し、そのまま地上でのウインチ操作により人孔Ｑ内を上昇させ、開口Ｏより脱する。
この場合、ハーネス部５を負傷者に着衣させ、しかる後地上から降下されたワイヤー４に連結し、上記の過程をなすこともできる。
【００２８】
（本実施形態の効果）
上記のことから明らかなとおり、本実施形態の作業装置Ｓによれば、人孔Ｑ内の作業者の昇降の安全が確保できる。すなわち、作業者が昇降行中足掛けＴを踏み外した際には、作業者の荷重は急速性を伴い、ウインチ本体３５ではその急速な変動荷重を検知して直ちにワイヤー４の移動を停止する。これにより、作業者は殆どバランスを失うことなく、落下状態から脱し、正常状態に復帰できる。
また、人孔Ｑ内及び人孔底部の被救助者の引上げも容易にできる。
更に、本作業装置Ｓは容易に設置でき、作業効率が良好である。
【００２９】
ハーネス部５Ａ
図９〜図１１に他の態様のハーネス部５Ａを示す。
図９及び図１０はこのハーネス部５Ａの全体構成を示し、図１１は更にその内部の構成を示す。
図９〜図１１に示されるように、このハーネス部５Ａは、布地をもってベスト状に形成されてなるベスト本体６０と、該ベスト本体６０の胴回りに上下に水平に固定される２本の横ベルト６１と、該横ベルト６１の前部に接続され、両方の肩部を介して該横ベルト６１の背部に回り込んで固定される２本の縦ベルト６２と、該縦ベルト６２の両方の肩部分から延設される２本の支持ベルト６３とを含むとともに、更には、該ベスト本体６０の内側の胴方向にほぼ全周にわたって配され広がり面を有する緩衝帯６４及びワイヤー４に連結される連結部６５を含む。
【００３０】
ベスト本体６０
ベスト本体６０は、布地をもってベスト（チョッキ）状に形成され、かつ前開き可能となっており、それぞれの前身項６０ａ，６０ｂはファスナー（図示せず）などによって、開閉可能になっている。
該ベスト本体６０はベスト態様として、大きめの首部６７及び袖口部６８が形成され、着脱し易くなされる。
該ベスト本体６０の布地として、メッシュ、防水布等が使用される。
【００３１】
横ベルト６１
２本の横ベルト６１は、ベスト本体６０の胴部分を捲回するように、上下に平行に固定される。横ベルト６１は所定の幅及び強度を有する。更に、該横ベルト６１の素材は強度の大きい布地もしくは合成樹脂材が使用される。
該横ベルト２６１それぞれ脱着具（いわゆるバックル）７０を正面に備えており、接続・解離可能になっている。更に、横ベルト６１にはベルトの長さを調整するための締具（長さ調整環）７１が設けられている。それぞれの横ベルト６１は、２本の縦ベルト６２に接続している。
【００３２】
縦ベルト６２
２本の縦ベルト６２は、それぞれ横ベルト６１の固定前部に接続され、両方の肩部を介して該横ベルト６１の背部に回り込んで固定される。縦ベルト６２は横ベルト６１と同様、所定の幅及び強度を有する。更に、該縦ベルト６２の素材は強度の大きい布地もしくは合成樹脂材が使用される。
【００３３】
支持ベルト６３
支持ベルト６３は、左右の２本よりなり、各縦ベルト６２の肩部分に一端が接続されており、他端は相互に接続固定され、ワイヤー４に接続される連結部６５を有する。あるいは１本よりなり、両端が肩部分に固定され中央で連結部６５に固定把持されう態様も採りうる。この場合、当該中央部で小さな輪を形成し、該輪を連結部６５としてもよい。該支持ベルト４は横ベルト２及び縦ベルト３と同様、所定の幅及び強度を有する。更に、該支持ベルト４の素材は強度の大きい布地もしくは合成樹脂材が使用される。
該支持ベルト６３は、三角形状の空間部Ａを形成するが、作業者の首を締め込まないように適宜の寸法に定められる。
【００３４】
緩衝帯６４
緩衝帯６４は、所定の広がり面を保持し、ベスト本体６０に固定され、該ベスト本体６０の内側の胴方向にほぼ全周にわたって配される。該緩衝帯６４のベスト本体６０に対する固定は全面、あるいは適宜間隔を保ってなされる。
該緩衝帯６４は、落下時の衝撃を緩和するとともに、吊り上げられるときに該ハーネス部５Ａを着衣した作業者の腋の下に当接し、該ハーネス部５Ａが吊り上げによって抜け落ちることを防止するために設けられる。このため、該緩衝帯６４の素材は、柔軟で衝撃緩和性があることが望ましく、また作業者を吊り上げるときに支持できるような強度を備えていることが必要である。緩衝帯６４は、ベスト本体６０の袖口６８に隣接して、前記袖口６８のほぼ直下に設けられており、引っ張り上げる場合にベスト本体６０が通常の装着状態より上方に著しく移動しないようにしてある。
緩衝帯６４は所定の幅及び厚さを採る。
【００３５】
連結部６５
連結部６５は、剛性を有する金属体よりなり、支持ベルト６３の三角形状の頂部に配され、該支持ベルト６３を固定態様もしくは可動態様で把持するものであり、連結孔７３を有する。
また、ワイヤー４の先端の連結部にも同じく連結孔を有し、本ハーネス部５Ａの連結部６５の連結孔７３とワイヤー４の連結部の連結孔との間にシャックルを介装させて接続する。
なお、連結部６５は剛性に限定されず、柔軟な支持ベルト６３をそのま利用した輪をもって形成してもよい。
【００３６】
本ハーネス部５Ａにおいても、上記した作業装置Ｓに装着され、同様の作用を発揮する。
すなわち、ワイヤー４を巻き上げることにより、支持ベルト６３が緊張し、縦ベルト６２の肩部より作業者を吊り上げる。すなわち、作業者は肩部より吊り上げられることになり、人孔Ｑが狭くても容易に救出可能である。このとき、作業者の頭部は前方あるいは後方に倒れた状態となるが、支持ベルト６３で構成される空隙Ａは該頭部が入り込まないように形成されているため、前記支持ベルト６３によって、首部が圧迫されることはない。
また、吊り上げられる状態のとき、本ハーネス部５Ａは上方に引っ張り上げられるが、横ベルト６１によって、本ハーネス部５Ａは作業者に固定され、かつ胴回りに設けられた緩衝帯６４が作業者の脇の下を支持することになるため、作業者の重量によって本ハーネス部５Ａが作業から抜け出ることはない。また袖口部６８の直径が所定値を採っているため、吊り下げ時の本ハーネス部５Ａの上方への移動は抑制されたものとなり、この点においても本ハーネス部５Ａの作業者からの抜出しは阻止される。
【００３７】
本発明は叙上の実施の形態にのみ限定されるものではなく、本発明の基本的技術思想の範囲内で種々設計変更が可能である。すなわち、以下の態様は本発明の技術的範囲内に包含される。
1)櫓部１は本実施形態の三脚に限定されず、四脚もしくはそれ以上の脚部を有してもよい。また、二脚の態様、すなわち門型であってもよい。
2)滑車部２において、単一の滑車２３に限定されず、動滑車を採用することも可能である。
3)本実施形態ではウインチ部３は手動式を採るが、電動式であってもよい。
【図面の簡単な説明】
【００３８】
【図１】本発明の下水道管渠等における人孔用の作業装置の一実施形態の全体構成を示す概略図。
【図２】本作業装置の櫓部の側面図（図３の２方向矢視図）。
【図３】本櫓部の上部の拡大部分図（図２の３方向矢視図）。
【図４】櫓部の脚部の他の態様図。
【図５】滑車部の他の態様図。
【図６】ウインチ本体の一例示図。
【図７】ハーネス部の前面構成を示す斜視図。
【図８】ハーネス部の背面構成を示す斜視図。
【符号の説明】
【００３９】
Ｓ…人孔用作業装置、Ｑ…人孔、Ｐ…下水道管渠、Ｔ…足掛け、１…櫓部、２…滑車部、３…ウインチ部、４…ワイヤー、５…ハーネス部、１１…脚部、３５…ウインチ本体、３８…ワイヤーの連結部、４１…ハーネス本体、４２…連結部
【図１】
2008069572.tif 000003
【図２】
2008069572.tif 000004
【図３】
2008069572.tif 000005
【図４】
2008069572.tif 000006
【図５】
2008069572.tif 000007
【図６】
2008069572.tif 000008
【図７】
2008069572.tif 000009
【図８】
2008069572.tif 000010
【図９】
2008069572.tif 000011
【図１０】
2008069572.tif 000012
【図１１】
2008069572.tif 000013
【手続補正書】
【提出日】平成18年10月17日(2006.10.17)
【手続補正３】
【補正対象書類名】明細書
【補正対象項目名】００３８
【補正方法】変更
【補正の内容】
【００３８】
【図１】本発明の下水道管渠等における人孔用の作業装置の一実施形態の全体構成を示す概略図。
【図２】本作業装置の櫓部の側面図（図３の２−２線方向矢視図）。
【図３】本櫓部の上部の拡大部分図（図２の３方向矢視図）。
【図４】櫓部の脚部の他の態様図。
【図５】滑車部の他の態様図。
【図６】ウインチ本体の一例示図。
【図７】ハーネス部の前面構成を示す斜視図。
【図８】ハーネス部の背面構成を示す斜視図。
【図９】  別の態様のハーネス部の前面図。
【図１０】  そのハーネス部の背面図。
【図１１】  そのハーネス部の内部構成を示す図。